(57)【特許請求の範囲】
【請求項１】
注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、
前記交流電圧の基本波と同一周期で、かつ当該交流電圧の基本波に同期した第１信号を生成して出力する第１信号生成部と、
前記第１信号に対して位相が直交する第２信号を生成して出力する第２信号生成部とを備え、
前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、
前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、
操作部および表示部を備え、
前記処理部は、前記操作部に対する操作内容に応じて、前記純抵抗成分、前記リアクタンス成分、前記インピーダンスの絶対値、前記リアクタンス成分および前記交流電圧の周波数に基づいてそれぞれ算出される前記測定対象回路のインダクタンスおよびキャパシタンス、並びに前記第１検出信号および前記第２検出信号に基づいて算出される位相角のうちから１つを選択して前記表示部に表示させると共に、前記位相角が予め規定された角度範囲外のときに、前記表示部にその旨を示す記号を表示させる測定装置。
【請求項２】
注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、
前記交流電圧の基本波と同一周期で、かつ当該交流電圧の基本波に同期した第１信号を生成して出力する第１信号生成部と、
前記第１信号に対して位相が直交する第２信号を生成して出力する第２信号生成部とを備え、
前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、
前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、
操作部、並びに主数値表示領域および副数値表示領域を有する表示部を備え、
前記処理部は、前記操作部に対する操作内容に応じて、前記純抵抗成分、前記リアクタンス成分、前記インピーダンスの絶対値、前記リアクタンス成分および前記交流電圧の周波数に基づいてそれぞれ算出される前記測定対象回路のインダクタンスおよびキャパシタンス、並びに前記第１検出信号および前記第２検出信号に基づいて算出される位相角のうちから２つを選択して前記主数値表示領域および前記副数値表示領域に表示させると共に、前記位相角が予め規定された角度範囲外のときに、前記表示部にその旨を示す記号を表示させる測定装置。
【請求項３】
注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、
前記交流電圧の基本波と同一周期で、かつ当該交流電圧の基本波に同期した第１信号を生成して出力する第１信号生成部と、
前記第１信号に対して位相が直交する第２信号を生成して出力する第２信号生成部とを備え、
前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、
前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、
操作部、並びに主数値表示領域および副数値表示領域を有する表示部を備え、
前記処理部は、前記リアクタンス成分および前記交流電圧の周波数に基づいて前記測定対象回路のインダクタンスおよびキャパシタンスの少なくとも一方を算出し、前記操作部に対する操作内容に応じて、前記純抵抗成分、前記リアクタンス成分、および前記インピーダンスの絶対値のうちから１つを選択して前記主数値表示領域に表示させると共に、当該純抵抗成分、当該リアクタンス成分、および当該インピーダンスの絶対値のうちの当該主数値表示領域に表示されているもの以外のもの、前記算出したインダクタンス、キャパシタンスおよび前記位相角のうちから１つを選択して前記副数値表示領域に表示させ、かつ前記位相角が予め規定された角度範囲外のときに、前記表示部にその旨を示す記号を表示させる測定装置。
【請求項４】
前記電圧注入部は、交流原信号を生成する原信号生成部、および当該交流原信号に基づいて位相が互いに直交する２つの交流信号を生成する位相シフト部を備えると共に、当該２つの交流信号のうちの一方の交流信号を前記交流電圧として前記注入コイルに印加し、
前記第１信号生成部は、前記電圧注入部において生成される前記２つの信号のうちの前記一方の信号に基づいて前記第１信号を生成し、
前記第２信号生成部は、前記電圧注入部において生成される前記２つの信号のうちの他方の信号に基づいて前記第２信号を生成する請求項１から３のいずれかに記載の測定装置。
【請求項５】
前記第１信号生成部は、前記第１信号を矩形波に整形して出力し、
前記第２信号生成部は、前記第２信号を矩形波に整形して出力し、
前記電流検出部は、前記電流検出信号を反転して反転検出信号として出力する反転部と、当該電流検出信号および当該反転検出信号を入力すると共にいずれか一方を選択的に出力する第１および第２切替部とを備え、当該第１切替部が、前記第１信号に基づいて前記電流検出信号および前記反転検出信号を切り替えて出力することによって当該電流検出信号を同期検波し、当該第２切替部が、前記第２信号に基づいて前記電流検出信号および前記反転検出信号を切り替えて出力することによって当該電流検出信号を同期検波する請求項１から４のいずれかに記載の測定装置。
【請求項６】
前記電圧注入部は、メモリ、ＣＰＵ、Ｄ／Ａ変換回路、フィルタおよび電力増幅部を備え、
交流原信号用のデジタルデータ、当該交流原信号に対して位相が一致する前記第１信号用のデジタルデータ、および当該交流原信号に対して位相が９０°シフトする前記第２信号用のデジタルデータで構成されるデータテーブルが前記メモリに予め記憶され、
前記ＣＰＵは、前記交流原信号用、前記第１信号用および前記第２信号用の各前記デジタルデータを前記データテーブルから予め規定された周期で順次読み出す動作を繰り返し実行すると共に、当該交流原信号用のデジタルデータについては前記Ｄ／Ａ変換回路に出力し、当該第１信号用および当該第２信号用の各デジタルデータについては対応する出力ポートから出力することによって前記第１信号および前記第２信号を生成し、
前記Ｄ／Ａ変換回路は、入力した前記交流原信号用のデジタルデータを三角波信号に変換して出力し、
前記フィルタは、前記三角波信号を前記交流原信号に変換して出力し、
前記電力増幅部は、前記交流原信号に基づいて前記交流電圧を生成して前記注入コイルに印加する請求項１から３のいずれかに記載の測定装置。
【発明の詳細な説明】
【技術分野】
【０００１】
本発明は、測定対象回路の純抵抗成分およびリアクタンス成分のうちの少なくとも一方を測定する測定装置に関するものである。
【背景技術】
【０００２】
この種の測定装置として、下記の特許文献１に開示された抵抗測定装置が知られている。この抵抗測定装置は、被測定回路網（測定対象回路）に流れる第１周波数の電流と弁別し得る第２周波数の電流を被測定回路網に注入する注入用変成器と、被測定回路網に流れている上記の２種類の電流を検出する検出用変成器（検出コイル）と、検出用変成器の出力のうちの第２周波数の成分を取り出す周波数選択回路と、周波数選択回路の出力を表示する表示手段とを具備し、さらに、注入用変成器は、発振器の出力電圧が与えられて第２周波数の電流を被測定回路網に注入する注入コイル、および帰還コイルを有し、帰還コイルに誘起する電圧が一定値に制御されるように注入コイルに供給される電圧を可変するようにした帰還ループを備えて構成されている。
【０００３】
この抵抗測定装置では、帰還コイルに誘起する電圧を被測定回路網の接続導線数（注入用変成器が装着される本数。１本）に対する帰還コイルの巻線数の比で除算して得られる注入電圧についても一定値に制御されるため、検出用変成器に流れる電流に起因してこの検出用変成器に接続された抵抗に発生する電圧を検出することにより、この検出用変成器に接続された抵抗の抵抗値、この抵抗に発生する電圧、帰還コイルに発生する電圧、注入コイルの巻数および検出用変成器（検出コイル）の巻数に基づいて、被測定回路網に接続された抵抗素子の値（被測定抵抗）を測定することが可能となっている。
【先行技術文献】
【特許文献】
【０００４】
【特許文献１】特開昭５５−９０８６２号公報（第１−４頁、第２図）
【発明の概要】
【発明が解決しようとする課題】
【０００５】
ところで、被測定抵抗が接続された被測定回路網には、配線のインダクタンスが必ず存在しているため、上記の抵抗測定装置によって測定された被測定抵抗の値には、この被測定抵抗の純抵抗成分のみならず、上記のインダクタンスに起因したリアクタンス成分も含まれている。このため、この被測定抵抗の純抵抗成分を正確に測定したいという要望があるが、上記の抵抗測定装置で測定される抵抗値には、被測定抵抗の純抵抗成分および上記のリアクタンス成分も含まれるため、この要望を実現できないという課題が存在している。また、リアクタンス成分のみを分離して測定する必要性が生じる場合もあるが、上記の抵抗測定装置には、このリアクタンス成分についても分離して測定することができないという課題が存在している。
【０００６】
本発明は、かかる課題を解決すべくなされたものであり、測定対象回路の純抵抗成分およびリアクタンス成分のうちの少なくとも一方を分離して測定し得る測定装置を提供することを主目的とする。
【課題を解決するための手段】
【０００７】
上記目的を達成すべく請求項１記載の測定装置は、注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、前記交流電圧の基本波と同一周期で、かつ当該交流電圧の基本波に同期した第１信号を生成して出力する第１信号生成部と、前記第１信号に対して位相が直交する第２信号を生成して出力する第２信号生成部とを備え、前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、操作部および表示部を備え、前記処理部は、前記操作部に対する操作内容に応じて、前記純抵抗成分、前記リアクタンス成分、前記インピーダンスの絶対値、前記リアクタンス成分および前記交流電圧の周波数に基づいてそれぞれ算出される前記測定対象回路のインダクタンスおよびキャパシタンス、並びに前記第１検出信号および前記第２検出信号に基づいて算出される位相角のうちから１つを選択して前記表示部に表示させると共に、前記位相角が予め規定された角度範囲外のときに、前記表示部にその旨を示す記号を表示させる。
また、請求項２記載の測定装置は、注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、前記交流電圧の基本波と同一周期で、かつ当該交流電圧の基本波に同期した第１信号を生成して出力する第１信号生成部と、前記第１信号に対して位相が直交する第２信号を生成して出力する第２信号生成部とを備え、前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、操作部、並びに主数値表示領域および副数値表示領域を有する表示部を備え、前記処理部は、前記操作部に対する操作内容に応じて、前記純抵抗成分、前記リアクタンス成分、前記インピーダンスの絶対値、前記リアクタンス成分および前記交流電圧の周波数に基づいてそれぞれ算出される前記測定対象回路のインダクタンスおよびキャパシタンス、並びに前記第１検出信号および前記第２検出信号に基づいて算出される位相角のうちから２つを選択して前記主数値表示領域および前記副数値表示領域に表示させると共に、前記位相角が予め規定された角度範囲外のときに、前記表示部にその旨を示す記号を表示させる。
また、請求項３記載の測定装置は、注入コイルに交流電圧を印加することによって測定対象回路に検査用交流信号を注入する電圧注入部と、前記検査用交流信号の注入に起因して前記測定対象回路に流れる交流電流を検出コイルで検出すると共に当該検出コイルから出力される電流検出信号に基づいて当該交流電流の振幅に応じて振幅が変化する検出信号を出力する電流検出部と、前記検出信号に基づいて前記交流電流の電流値を算出すると共に当該算出した交流電流の電流値と前記注入された検査用交流信号の電圧値とに基づいて前記測定対象回路の純抵抗成分およびリアクタンス成分の少なくとも一方を測定値として算出する処理部とを備えた測定装置であって、前記交流電圧の基本波と同一周期で、かつ当該交流電圧の基本波に同期した第１信号を生成して出力する第１信号生成部と、前記第１信号に対して位相が直交する第２信号を生成して出力する第２信号生成部とを備え、前記電流検出部は、前記電流検出信号を前記第１信号を用いて同期検波することによって前記交流電流の実数成分の振幅に応じて振幅が変化する第１検出信号を前記検出信号として出力すると共に、前記電流検出信号を前記第２信号を用いて同期検波することによって前記交流電流の虚数成分の振幅に応じて振幅が変化する第２検出信号を前記検出信号として出力し、前記処理部は、前記第１検出信号および前記第２検出信号に基づいて前記交流電流の前記電流値の絶対値を算出すると共に当該算出した絶対値と前記検査用交流信号の電圧値とに基づいて前記測定対象回路のインピーダンスの絶対値を算出する抵抗値算出処理と、前記第１検出信号および前記第２検出信号に基づいて前記交流電流と前記検査用交流信号との間の位相角を算出する位相角算出処理と、算出した前記インピーダンスの絶対値と前記位相角とに基づいて前記測定値を算出する測定値算出処理とを実行する測定装置において、操作部、並びに主数値表示領域および副数値表示領域を有する表示部を備え、前記処理部は、前記リアクタンス成分および前記交流電圧の周波数に基づいて前記測定対象回路のインダクタンスおよびキャパシタンスの少なくとも一方を算出し、前記操作部に対する操作内容に応じて、前記純抵抗成分、前記リアクタンス成分、および前記インピーダンスの絶対値のうちから１つを選択して前記主数値表示領域に表示させると共に、当該純抵抗成分、当該リアクタンス成分、および当該インピーダンスの絶対値のうちの当該主数値表示領域に表示されているもの以外のもの、前記算出したインダクタンス、キャパシタンスおよび前記位相角のうちから１つを選択して前記副数値表示領域に表示させ、かつ前記位相角が予め規定された角度範囲外のときに、前記表示部にその旨を示す記号を表示させる。
【０００８】
また、請求項４記載の測定装置は、請求項１から３のいずれかに記載の測定装置において、前記電圧注入部は、交流原信号を生成する原信号生成部、および当該交流原信号に基づいて位相が互いに直交する２つの交流信号を生成する位相シフト部を備えると共に、当該２つの交流信号のうちの一方の交流信号を前記交流電圧として前記注入コイルに印加し、前記第１信号生成部は、前記電圧注入部において生成される前記２つの信号のうちの前記一方の信号に基づいて前記第１信号を生成し、前記第２信号生成部は、前記電圧注入部において生成される前記２つの信号のうちの他方の信号に基づいて前記第２信号を生成する。
【０００９】
また、請求項５記載の測定装置は、請求項１から４のいずれかに記載の測定装置において、前記第１信号生成部は、前記第１信号を矩形波に整形して出力し、前記第２信号生成部は、前記第２信号を矩形波に整形して出力し、前記電流検出部は、前記電流検出信号を反転して反転検出信号として出力する反転部と、当該電流検出信号および当該反転検出信号を入力すると共にいずれか一方を選択的に出力する第１および第２切替部とを備え、当該第１切替部が、前記第１信号に基づいて前記電流検出信号および前記反転検出信号を切り替えて出力することによって当該電流検出信号を同期検波し、当該第２切替部が、前記第２信号に基づいて前記電流検出信号および前記反転検出信号を切り替えて出力することによって当該電流検出信号を同期検波する。
【００１０】
また、請求項６記載の測定装置は、請求項１から３のいずれかに記載の測定装置において、前記電圧注入部は、メモリ、ＣＰＵ、Ｄ／Ａ変換回路、フィルタおよび電力増幅部を備え、交流原信号用のデジタルデータ、当該交流原信号に対して位相が一致する前記第１信号用のデジタルデータ、および当該交流原信号に対して位相が９０°シフトする前記第２信号用のデジタルデータで構成されるデータテーブルが前記メモリに予め記憶され、前記ＣＰＵは、前記交流原信号用、前記第１信号用および前記第２信号用の各前記デジタルデータを前記データテーブルから予め規定された周期で順次読み出す動作を繰り返し実行すると共に、当該交流原信号用のデジタルデータについては前記Ｄ／Ａ変換回路に出力し、当該第１信号用および当該第２信号用の各デジタルデータについては対応する出力ポートから出力することによって前記第１信号および前記第２信号を生成し、前記Ｄ／Ａ変換回路は、入力した前記交流原信号用のデジタルデータを三角波信号に変換して出力し、前記フィルタは、前記三角波信号を前記交流原信号に変換して出力し、前記電力増幅部は、前記交流原信号に基づいて前記交流電圧を生成して前記注入コイルに印加する。
【発明の効果】
【００１５】
請求項１，２，３記載の測定装置によれば、電流検出部が、注入コイルから出力される電流検出信号を、交流電圧の基本波と同一周期で、かつ同期した（同位相）の第１信号を用いて同期検波することにより、測定対象回路に流れる交流電流の実数成分の振幅に応じて振幅が変化する第１検出信号を出力すると共に、電流検出信号を第１信号と位相が直交する第２信号を用いて同期検波することにより、測定対象回路に流れる交流電流の虚数成分の振幅に応じて振幅が変化する第２検出信号を出力し、処理部が、この第１および第２検出信号に基づいて、抵抗値算出処理、位相角算出処理および測定値算出処理を実行することにより、測定対象回路の純抵抗成分およびリアクタンス成分を分離して算出することができる。
また、請求項１記載の測定装置によれば、ユーザは操作部を操作することにより、インピーダンスの絶対値、純抵抗成分、リアクタンス成分、インダクタンス、キャパシタンス、および位相角のうちから所望の測定値（パラメータ）を選択して表示部に表示させて、確認することができる。
また、請求項２記載の測定装置によれば、インピーダンスの絶対値、純抵抗成分、リアクタンス成分、インダクタンス、キャパシタンス、および位相角のうちから所望の２つの測定値（パラメータ）を選択して表示部の主数値表示領域および副数値表示領域に表示させることができるため、２つの測定値を同時に確認することができる。
また、請求項３記載の測定装置によれば、インピーダンスの絶対値、純抵抗成分およびリアクタンス成分から選択した１つのパラメータについて確認することができると共に、インピーダンスの絶対値、純抵抗成分およびリアクタンス成分のうちのこの１つのパラメータ以外のパラメータ、測定対象回路のインダクタンス、測定対象回路のキャパシタンスおよび位相角のうちから選択した他の１つのパラメータについても同時に確認することができる。
また、請求項１，２，３記載の測定装置によれば、算出した位相角が予め規定された角度範囲外となったときに、表示部に測定対象回路のリアクタンス成分が相対的に大きくなって（支配的になって）いることを示す記号が表示されるため、ユーザに対して、表示部に表示されている純抵抗成分について誤差が大きくなっていること、つまり確度が低下していることを報知することができる。
【００１６】
また、請求項４記載の測定装置では、電圧注入部の位相シフト部が、原信号生成部から出力される交流原信号に基づいて位相が互いに直交する２つの交流信号を生成し、電圧注入部は、この２つの交流信号のうちの一方の交流信号を交流電圧として注入コイルに印加し、第１信号生成部が、位相シフト部が生成する２つの交流信号のうちの上記した一方の交流信号に基づいて第１信号を生成し、第２信号生成部が、位相シフト部が生成する２つの交流信号のうちの他方の交流信号に基づいて第２信号を生成する。
【００１７】
したがって、この測定装置によれば、位相シフト部が、測定装置の内部に配設されて外部からの影響を受けにくい原信号生成部から出力される交流原信号に基づいて互いに直交する２つの交流信号を生成することができる。このため、この測定装置によれば、この２つの交流信号に基づいて生成される第１信号および第２信号の位相差を安定して９０°に維持できる結果、第１切替部および第２切替部が、測定対象回路に流れる交流電流の実数成分の振幅に応じて振幅が変化する第１検出信号およびこの交流電流の虚数成分の振幅に応じて振幅が変化する第２検出信号を同期検波によって高い精度で出力することができるため、処理部が、精度の高い第１および第２検出信号に基づいて測定対象回路の純抵抗成分およびリアクタンス成分を高精度で算出することができる。
【００１８】
また、請求項５記載の測定装置では、第１信号生成部および第２信号生成部が第１信号および第２信号を矩形波に整形してそれぞれ出力する構成を採用したことにより、電流検出部において、電流検出信号および反転検出信号のいずれか一方を選択的に出力する第１切替部および第２切替部を用いて、電流検出信号に基づき第１検出信号および第２検出信号を同期検波で検出できるため、例えば、第１切替部および第２切替部をアナログスイッチを用いて構成することができる結果、電流検出部の構成を簡略化することができる。
【００１９】
また、請求項６記載の測定装置によれば、デジタル回路を使用し、交流原信号用、第１信号用および第２信号用の各デジタルデータに基づいて、三角波信号、第１信号および第２信号を生成する構成としたことにより、この三角波信号から生成される交流電圧に対して、位相差がゼロの(位相が一致した)第１信号と、位相が９０°シフトした第２信号とを、安定して、しかも容易に生成することができる。
【図面の簡単な説明】
【００２４】
【図１】測定装置１，１Ｂ，１Ｃの構成を示す構成図である。
【図２】測定装置１の電流検出部６における直流増幅部３５を除く回路図である。
【図３】電流検出部６における同期検波の動作を説明するための波形図である。
【図４】他の測定装置１Ａの構成を示す構成図である。
【図５】他の電流検出部６Ａにおける直流増幅部３５を除く回路図である。
【図６】電流検出部６Ａにおける同期検波の動作を説明するための波形図である。
【図７】表示部としての出力部８の一例の構成を説明するための説明図である。
【図８】表示部としての出力部８の他の一例の構成を説明するための説明図である。
【図９】図８の出力部８における数値表示領域５１および副数値表示領域５４に表示されるパラメータの組み合わせを示す説明図である。
【図１０】表示部としての出力部８の他の一例の構成を説明するための説明図である。
【図１１】表示部としての出力部８の他の一例の構成を説明するための説明図である。
【図１２】図１１の出力部８における数値表示領域５１および副数値表示領域５４に表示されるパラメータの追加の組み合わせを示す説明図である。
【図１３】統括信号生成部６１の構成を説明するためのブロック図である。
【図１４】図１３のメモリ６２ｂに記憶されているデータテーブルＤｓｔの内容を説明するための説明図である。
【図１５】統括信号生成部６１の動作を説明するための波形図である。
【発明を実施するための形態】
【００２５】
以下、測定装置の実施の形態について、添付図面を参照して説明する。
【００２６】
最初に、測定装置１の構成について、図面を参照して説明する。
【００２７】
図１に示す測定装置１は、クランプセンサ２、電圧注入部３、第１信号生成部４、第２信号生成部５、電流検出部６、処理部７および出力部８を備え、測定対象回路９の抵抗（ループ抵抗）Ｒの純抵抗成分Ｒｒおよびリアクタンス成分Ｒｘを測定値として測定可能に構成されている。
【００２８】
クランプセンサ２は、一例として、図１に示すように、測定対象回路９に装着可能（クランプ可能）に構成された注入クランプ１１および検出クランプ１２を備えている。
【００２９】
注入クランプ１１は、図１に示すように、分割可能に構成された環状のコア１１ａ、並びにこのコア１１ａに巻回された注入コイル１１ｂ（既知のターン数：Ｎ１）および帰還コイル１１ｃを備え、コア１１ａが分割されることで測定対象回路９に装着可能となっている。検出クランプ１２は、図１に示すように、分割可能に構成された環状のコア１２ａ、およびこのコア１２ａに巻回された検出コイル１２ｂ（既知のターン数：Ｎ２）を備え、コア１２ａが分割されることで測定対象回路９に装着可能となっている。また、注入クランプ１１および検出クランプ１２では、測定対象回路９の一部を構成する配線９ａに装着された際（クランプされた）に、この配線９ａは、各コア１１ａ，１２ａにおいて１ターンの巻線として機能する。
【００３０】
電圧注入部３は、一例として、原信号生成部２１、位相シフト部（９０°位相シフト）２２、電力増幅部２３およびフィードバック部２４を備えて構成されている。原信号生成部２１は、一例として、階段波生成部２１ａおよびローパスフィルタ（以下、「ＬＰＦ」ともいう）２１ｂを備え、交流電圧（交流原信号）Ｖａを生成して出力する。具体的には、階段波生成部２１ａは、所定周期Ｔ（周波数ｆ）の三角波信号Ｖｔを生成して出力する。この三角波信号Ｖｔは、階段波の一例であって、同図に示すように、基準クロックＣＬＫの周期Ｔｃで段階的（ステップ的）に振幅が変化しつつ、全体として振幅が一定の三角波の形状となる信号である。
【００３１】
このような階段波生成部２１ａは、一例として、基準クロックＣＬＫに同期して、アップカウント動作およびダウンカウント動作の一方を選択的に実行可能なカウンタと、このカウンタに対してアップカウント動作およびダウンカウント動作を繰り返し実行させるためのフリップフロップと、カウンタの各カウンタ出力端子から出力されるカウント値に基づいて階段波を生成するＤ／Ａ変換回路と、階段波に含まれる直流成分をカットするコンデンサ（いずれも図示せず）とを備えて構成されている。ＬＰＦ２１ｂは、三角波信号Ｖｔを入力してその基本周波数成分（周波数ｆ）を主として通過させ、それ以外の周波数成分を減衰させることにより（基本周波数成分を選択的に通過させることにより）、交流電圧（本例では、一例として擬似正弦波電圧）Ｖａに変換して出力する。
【００３２】
位相シフト部２２は、一例として、正弦波電圧（擬似正弦波電圧）Ｖａを入力すると共に予め決められた位相分だけ波形をシフトして出力する位相シフト回路（不図示）を２系統備え、各位相シフト回路での位相のシフト量の差が９０°に規定されて構成されている。この構成により、位相シフト部２２は、互いの位相が９０°相違する（互いの位相が直交する）２種類の交流信号（本例では、一例として正弦波電圧）Ｖａ１，Ｖａ２を生成して出力する。本例では、一例として、正弦波電圧Ｖａ１の位相が、正弦波電圧Ｖａ２の位相に対して９０°進んでいるものとする。
【００３３】
電力増幅部２３は、本例では一例としてＤ級アンプとして構成されて、正弦波電圧Ｖａ１をフィードバック部２４によって制御される増幅率で増幅して予め規定された電圧値（本例では電圧実効値）の交流電圧（本例では一例として正弦波電圧（具体的には、擬似正弦波電圧））Ｖ１を生成すると共に、生成した正弦波電圧Ｖ１を注入クランプ１１の注入コイル１１ｂに印加する。図示はしないが、電力増幅部２３は、一例として、一定周波数の鋸歯状信号を生成する信号発生回路と、この鋸歯状信号と正弦波電圧Ｖａ１とを比較して、正弦波電圧Ｖａ１の振幅に比例してパルス幅（デューティ比）が変化する所定周期のパルス信号（ＰＷＭ信号）を生成するＰＷＭ信号生成回路と、このＰＷＭ信号を電力増幅するＤ級電力増幅回路と、Ｄ級電力増幅回路からの出力信号に対してフィルタリング処理することで正弦波電圧Ｖ１を生成するローパスフィルタ回路とで構成されている。
【００３４】
フィードバック部２４は、帰還コイル１１ｃに誘起される電圧Ｖ２を検出しつつ、この電圧Ｖ２が予め規定された電圧（一定の電圧）となるように、電力増幅部２３の増幅率を制御する。この構成により、電力増幅部２３は、正弦波電圧Ｖａ１の入力レベルや、環状のコア１１ａの接合具合が多少変化したとしても、常に一定の電圧値の正弦波電圧Ｖ１を生成可能となっている。
【００３５】
これにより、注入クランプ１１を介して測定対象回路９に所定の周波数ｆで、かつ所定の電圧実効値の検査用交流信号Ｖｏが注入される。この場合、上記したように配線９ａがコア１１ａにおいて１ターンの巻線として機能するため、測定対象回路９に注入される検査用交流信号Ｖｏは、その電圧値が正弦波電圧Ｖ１をターン数Ｎ１で除算して得られる電圧値（Ｖｏ＝Ｖ１／Ｎ１）となる。検出クランプ１２は、コア１２ａにおいて配線９ａが１ターンの巻線として機能するため、測定対象回路９に流れる交流電流Ｉｏを検出して、その検出コイル１２ｂに検出電流（検出コイルに流れる電流）Ｉ１（＝Ｉｏ／Ｎ２）を出力する。
【００３６】
第１信号生成部４は、図１に示すように、一例として、コンパレータ４ａおよびフリップフロップ（本例では一例として、Ｄ型フリップフロップ（「Ｄ型ＦＦ」ともいう））４ｂを備え、正弦波電圧Ｖａ１の基本波と同一周期で、かつ正弦波電圧Ｖａ１の基本波に同期した第１信号Ｓ１を生成して出力する。この第１信号生成部４では、まず、コンパレータ４ａが、正弦波電圧Ｖａ１と基準電圧（ゼロボルト）とを比較することにより、正弦波電圧Ｖａ１のゼロクロスで極性が反転し、かつデューティ比が０．５の矩形波信号（一例として、正弦波電圧Ｖａ１が正のときに電圧がハイレベルとなり、負のときにゼロボルトとなる二値化信号）を出力する。次いで、Ｄ型ＦＦ４ｂが、この矩形波信号を基準クロックＣＬＫに同期してサンプリングすることにより、コンパレータ４ａでのコンパレート時にばらついた矩形波信号の立ち上がりおよび立ち下がりを基準クロックＣＬＫに同期させると共に、矩形波信号に含まれている基準クロックＣＬＫと非同期のノイズ成分を除去して（矩形波に整形して）、第１信号Ｓ１として出力する。
【００３７】
第２信号生成部５は、図１に示すように、コンパレータ５ａおよびＤ型ＦＦ５ｂを備え、第１信号生成部４と同一の回路に構成されている。この第２信号生成部５では、コンパレータ５ａが、正弦波電圧Ｖａ２と基準電圧（ゼロボルト）とを比較することにより、コンパレータ４ａと同様にして、正弦波電圧Ｖａ２のゼロクロスで極性が反転し、かつデューティ比が０．５の矩形波信号を出力し、Ｄ型ＦＦ５ｂが、この矩形波信号を基準クロックＣＬＫに同期してサンプリングすることにより、第２信号Ｓ２として出力する。
【００３８】
電流検出部６は、Ｉ−Ｖ変換（電流電圧変換）部３１、反転部３２、第１切替部３３、第２切替部３４および直流増幅部３５を備え、交流電流Ｉｏの実数成分の振幅に応じて振幅が変化する第１検出信号（検出信号）Ｖｄ１、および交流電流Ｉｏの虚数成分の振幅に応じて振幅が変化する第２検出信号（検出信号）Ｖｄ２を出力する。この場合、Ｉ−Ｖ変換部３１は、検出コイル１２ｂの一端に接続されて、この一端に発生する検出電流Ｉ１を電流検出信号Ｖｂ１に変換して出力する。反転部３２は、電流検出信号Ｖｂ１を入力すると共に極性を反転させて（言い換えれば、位相を１８０°シフトさせて）、反転検出信号Ｖｂ２として出力する。
【００３９】
第１切替部３３は、図１，２に示すように、電流検出信号Ｖｂ１および反転検出信号Ｖｂ２を入力すると共に、これらの信号Ｖｂ１，Ｖｂ２のうちのいずれか一方を第１信号Ｓ１のレベルに基づいて選択して出力する（選択的に出力する）。一例として、第１切替部３３は、図２に示すように、切替スイッチ（アナログスイッチ）で構成されて、第１信号Ｓ１がハイレベルのときには電流検出信号Ｖｂ１を出力し、第１信号Ｓ１がゼロボルトのときには反転検出信号Ｖｂ２を出力する。第１切替部３３は、このように動作することにより、等価的に電流検出信号Ｖｂ１を第１信号Ｓ１で同期検波して、検波信号Ｖｃ１として出力する。
【００４０】
第２切替部３４も、図１，２に示すように、第１切替部３３と同様にして、電流検出信号Ｖｂ１および反転検出信号Ｖｂ２を入力すると共に、これらの信号Ｖｂ１，Ｖｂ２のうちのいずれか一方を第２信号Ｓ２のレベルに基づいて選択して出力する（選択的に出力する）。一例として、第２切替部３４も第１切替部３３と同様にして、図２に示すように、切替スイッチ（アナログスイッチ）で構成されて、第２信号Ｓ２がハイレベルのときには電流検出信号Ｖｂ１を出力し、第２信号Ｓ２がゼロボルトのときには反転検出信号Ｖｂ２を出力する。第２切替部３４は、このように動作することにより、等価的に電流検出信号Ｖｂ１を第２信号Ｓ２（第１信号Ｓ１と位相が直交する信号）で同期検波して、検波信号Ｖｃ２として出力する。
【００４１】
この場合、注入コイル１１ｂに印加される正弦波電圧Ｖ１と同位相となる正弦波電圧Ｖａ１から生成された第１信号Ｓ１に基づいて第１切替部３３が同期検波して出力する検波信号Ｖｃ１は、測定対象回路９の抵抗Ｒの純抵抗成分Ｒｒによって規制される電流（つまり、交流電流Ｉｏの実数成分）の振幅に応じて振幅が変化する信号となる。一方、注入コイル１１ｂに印加される正弦波電圧Ｖ１に対して位相が９０°相違する（本例では９０°遅れた）正弦波電圧Ｖａ２から生成された第２信号Ｓ２に基づいて第２切替部３４が同期検波して出力する検波信号Ｖｃ２は、測定対象回路９の抵抗Ｒのリアクタンス成分Ｒｘによって規制される電流（つまり、交流電流Ｉｏの虚数成分）の振幅に応じて振幅が変化する信号となる。
【００４２】
直流増幅部３５は、不図示の直流増幅回路を２系統有し、各検波信号Ｖｃ１，Ｖｃ２を入力すると共に各直流増幅回路において同じ増幅率でそれぞれ増幅して、第１検出信号Ｖｄ１，Ｖｄ２として処理部７へ出力する。
【００４３】
処理部７は、Ａ／Ｄ変換部７ａ、ＣＰＵ７ｂおよびメモリ（図示せず）を備えて構成されている。この場合、Ａ／Ｄ変換部７ａは、Ａ／Ｄ変換回路を２系統有し、第１検出信号Ｖｄ１，Ｖｄ２を入力すると共に、各Ａ／Ｄ変換回路においてデジタルデータＤｉ１，Ｄｉ２にそれぞれ変換して出力する。この場合、上記したように、検波信号Ｖｃ１は、交流電流Ｉｏの実数成分の振幅に応じて振幅が変化する信号である。このため、検波信号Ｖｃ１を増幅して生成される第１検出信号Ｖｄ１についてのデジタルデータＤｉ１は、交流電流Ｉｏの実数成分の電流値を示すデータ（以下、「電流データＤｉ１」ともいう）となる。また、上記したように、検波信号Ｖｃ２は、交流電流Ｉｏの虚数成分の振幅に応じて振幅が変化する信号である。このため、検波信号Ｖｃ２を増幅して生成される第２検出信号Ｖｄ２についてのデジタルデータＤｉ２は、交流電流Ｉｏの虚数成分の電流値を示すデータ（以下、「電流データＤｉ２」ともいう）となる。ＣＰＵ７ｂは、基準クロックＣＬＫを生成して出力する機能を有すると共に、抵抗値算出処理、位相角算出処理および測定値算出処理を実行する。出力部８は、一例として、モニタ装置などの表示部で構成されて、測定値算出処理の結果を表示する。
【００４４】
次に、測定装置１による測定対象回路９の測定値（純抵抗成分Ｒｒおよびリアクタンス成分Ｒｘ）についての測定動作について説明する。
【００４５】
この測定装置１では、処理部７は、まず、基準クロックＣＬＫの出力を開始する。この基準クロックＣＬＫは、階段波生成部２１ａ、および各信号生成部４，５の各Ｄ型ＦＦ４ｂ，５ｂに出力される。これにより、電圧注入部３では、階段波生成部２１ａが、基準クロックＣＬＫに同期した三角波信号Ｖｔの生成および出力を開始し、ＬＰＦ２１ｂが三角波信号Ｖｔを正弦波電圧（交流電圧）Ｖａに変換する。次いで、位相シフト部２２が、この交流電圧Ｖａに基づいて、互いの位相が直交する（位相が９０°相違する）正弦波電圧Ｖａ１，Ｖａ２の生成を開始する。本例では、正弦波電圧Ｖａ１は、その位相が正弦波電圧Ｖａ２の位相に対して９０°進んでいる。
【００４６】
電力増幅部２３は、Ｄ級増幅動作を行って、入力した正弦波電圧Ｖａ１を正弦波電圧Ｖ１に増幅して、注入クランプ１１の注入コイル１１ｂに印加する。この際に、フィードバック部２４が、注入コイル１１ｂへの正弦波電圧Ｖａ１の印加に起因して帰還コイル１１ｃに誘起される電圧Ｖ２を検出しつつ、この電圧Ｖ２が予め規定された電圧（一定の電圧）となるように、電力増幅部２３の増幅率を制御する。このため、電力増幅部２３は、一定の電圧値の正弦波電圧Ｖ１を生成して注入コイル１１ｂに印加する。これにより、注入クランプ１１から測定対象回路９に検査用交流信号Ｖｏ（周波数ｆ）が注入され、測定対象回路９には、検査用交流信号Ｖｏの注入に起因して、周波数ｆの交流電流Ｉｏが流れる。
【００４７】
一方、第１信号生成部４では、コンパレータ４ａが、正弦波電圧Ｖａ１と基準電圧とを比較することにより、正弦波電圧Ｖａ１のゼロクロスで極性が反転する矩形波信号の生成を開始し、Ｄ型ＦＦ４ｂが、この矩形波信号を基準クロックＣＬＫに同期させて第１信号Ｓ１として出力する処理を開始する。また、第２信号生成部５では、コンパレータ５ａが、正弦波電圧Ｖａ２と基準電圧とを比較することにより、正弦波電圧Ｖａ２のゼロクロスで極性が反転する矩形波信号の生成を開始し、Ｄ型ＦＦ４ｂが、この矩形波信号を基準クロックＣＬＫに同期させて第２信号Ｓ２として出力する処理を開始する。これにより、各信号生成部４，５から電流検出部６の各切替部３３，３４に対して第１信号Ｓ１および第２信号Ｓ２基準信号Ｓｒの供給が開始される。
【００４８】
この場合、正弦波電圧Ｖａ１は、電力増幅部２３において正弦波電圧Ｖ１に増幅されるため、この正弦波電圧Ｖ１と位相が一致している。したがって、第１信号生成部４において、この正弦波電圧Ｖａ１から生成される第１信号Ｓ１は、図３に示すように、正弦波電圧Ｖ１と位相が一致した状態となっている。一方、第２信号生成部５において、正弦波電圧Ｖａ１に対して位相が直交する（本例では位相が９０°遅れている）正弦波電圧Ｖａ２から生成される第２信号Ｓ２は、同図に示すように、第１信号Ｓ１に対して（つまり、正弦波電圧Ｖ１に対して）位相が９０°遅れた状態となっている。
【００４９】
この周波数ｆの検査用交流信号Ｖｏが測定対象回路９に注入されている状態において、電流検出部６は、交流電流Ｉｏを検出して電流データＤｉ１，Ｄｉ２を生成する処理を実行する。具体的には、電流検出部６では、検出クランプ１２が、測定対象回路９に流れる交流電流Ｉｏを検出して、その検出コイル１２ｂから検出電流Ｉ１を出力し、Ｉ−Ｖ変換部３１が、この検出電流Ｉ１を電流検出信号Ｖｂ１に変換して出力する。また、反転部３２が、電流検出信号Ｖｂ１を入力して、その極性を反転させて（位相を１８０°シフトさせて）、反転検出信号Ｖｂ２として出力する。この場合、測定対象回路９の抵抗Ｒは、上記したように、純抵抗成分Ｒｒおよびリアクタンス成分Ｒｘを含んでいる。このため、電力増幅部２３から注入クランプ１１に印加される正弦波電圧Ｖ１と、この正弦波電圧Ｖ１に起因して測定対象回路９に流れる交流電流Ｉｏとの間に位相差θが生じており、この結果、正弦波電圧Ｖ１と、交流電流Ｉｏに起因して発生する検出電流Ｉ１、さらにはこの検出電流Ｉ１から生成される電流検出信号Ｖｂ１との間にも、図３に示すように位相差θが生じた状態となっている。
【００５０】
次いで、第１切替部３３が、電流検出信号Ｖｂ１および反転検出信号Ｖｂ２を第１信号Ｓ１に同期して切り替えて出力することにより（電流検出信号Ｖｂ１を第１信号Ｓ１で同期検波することにより）、検波信号Ｖｃ１を出力し、また第２切替部３４が、電流検出信号Ｖｂ１および反転検出信号Ｖｂ２を第２信号Ｓ２に同期して切り替えて出力することにより（電流検出信号Ｖｂ１を第２信号Ｓ２で同期検波することにより）、検波信号Ｖｃ２を出力する（図３参照）。また、直流増幅部３５が、各検波信号Ｖｃ１，Ｖｃ２を入力すると共に増幅して、第１検出信号Ｖｄ１，Ｖｄ２として出力する。
【００５１】
続いて、処理部７（具体的には、Ａ／Ｄ変換部７ａ）が、第１検出信号Ｖｄ１，Ｖｄ２を入力すると共に、これらを電流データＤｉ１，Ｄｉ２にそれぞれ変換して出力する。この場合、上記したように、電流データＤｉ１は、交流電流Ｉｏの実数成分の電流値を示すデータであり、電流データＤｉ２は、交流電流Ｉｏの虚数成分の電流値を示すデータとなる。
【００５２】
続いて、処理部７（具体的には、ＣＰＵ７ｂ）は、測定対象回路９の測定値（抵抗Ｒの純抵抗成分Ｒｒおよびリアクタンス成分Ｒｘ）を算出する算出処理を実行する。具体的には、この算出処理において、処理部７は、最初に、測定対象回路９の抵抗Ｒの絶対値（測定対象回路９のインピーダンスＺの絶対値｜Ｚ｜）を算出する抵抗値算出処理を実行する。
【００５３】
この抵抗値算出処理では、処理部７は、まず、電流データＤｉ１に基づいて検出電流Ｉ１の電流値（実数成分の電流値）を算出し、この算出した電流値と検出コイル１２ｂのターン数（Ｎ２）とに基づいて交流電流Ｉｏの電流値（実数成分の電流値Ｉｏｒ（以下、単に「実数成分Ｉｏｒ」ともいう））を算出する。また、処理部７は、電流データＤｉ２に基づいて検出電流Ｉ１の電流値（虚数成分の電流値）を算出し、この算出した電流値と検出コイル１２ｂのターン数（Ｎ２）とに基づいて交流電流Ｉｏの電流値（虚数成分の電流値Ｉｏｘ（以下、単に「虚数成分Ｉｏｘ」ともいう））を算出する。
【００５４】
続いて、処理部７は、算出した実数成分Ｉｏｒおよび虚数成分Ｉｏｘに基づいて、交流電流Ｉｏの絶対値を算出する。この場合、処理部７は、実数成分Ｉｏｒおよび虚数成分Ｉｏｘをそれぞれ二乗して加算し、この加算した値の平方根を算出することにより、交流電流Ｉｏの絶対値（｜Ｉｏ｜）を算出する。
【００５５】
次いで、処理部７は、交流電圧Ｖ１の電圧実効値（上記したように既知）および注入コイル１１ｂのターン数（Ｎ１）に基づいて検査用交流信号Ｖｘの電圧実効値を算出し、最後に、この算出した検査用交流信号Ｖｘの電圧実効値を上記の交流電流Ｉｏの絶対値（｜Ｉｏ｜）で除算することにより、測定対象回路９のインピーダンスの絶対値｜Ｚ｜を算出する。
【００５６】
続いて、処理部７は、位相角算出処理を実行する。この位相角算出処理では、処理部７は、上記の抵抗値算出処理において算出した実数成分Ｉｏｒおよび虚数成分Ｉｏｘに基づいて、実数成分Ｉｏｒおよび虚数成分Ｉｏｘの位相角θ（＝arctan（Ｉｏｘ／Ｉｏｒ））を算出する。この位相角θは、測定対象回路９に注入された検査用交流信号Ｖｏと、この検査用交流信号Ｖｏに起因して測定対象回路９に流れる交流電流Ｉｏとの位相角（位相差）でもある。
【００５７】
最後に、処理部７は、測定値算出処理を実行する。この測定値算出処理では、処理部７は、算出した測定対象回路９のインピーダンスの絶対値（｜Ｚ｜）にｃｏｓθを乗算することにより、測定対象回路９の抵抗Ｒの純抵抗成分Ｒｒを算出し、また絶対値（｜Ｚ｜）にｓｉｎθを乗算することにより、測定対象回路９の抵抗Ｒのリアクタンス成分Ｒｘを算出して、これらを測定値として、出力部８に出力させる（本例では一例として表示させる）。これにより、処理部７による測定対象回路９の測定値（抵抗Ｒの純抵抗成分Ｒｒおよびリアクタンス成分Ｒｘ）の算出処理が完了する。
【００５８】
このように、この測定装置１によれば、電流検出部６が、注入クランプ１１の注入コイル１１ｂから出力される電流検出信号Ｖｂ１を、正弦波電圧Ｖ１と同位相の第１信号Ｓ１を用いて同期検波することにより、交流電流Ｉｏの実数成分Ｉｏｒの振幅に応じて振幅が変化する第１検出信号Ｖｄ１を出力すると共に、電流検出信号Ｖｂ１を第１信号Ｓ１と位相が直交する第２信号Ｓ２を用いて同期検波することにより、交流電流Ｉｏの虚数成分Ｉｏｘの振幅に応じて振幅が変化する第２検出信号Ｖｄ２を出力し、処理部７が、この各検出信号Ｖｄ１，Ｖｄ２に基づいて、抵抗値算出処理、位相角算出処理および測定値算出処理を実行することにより、測定対象回路９の純抵抗成分Ｒｒおよびリアクタンス成分Ｒｘを分離して算出することができる。
【００５９】
また、この測定装置１では、電圧注入部３の位相シフト部２２が、原信号生成部２１から出力される正弦波電圧Ｖａに基づいて、位相が互いに直交する２つの正弦波電圧Ｖａ１および正弦波電圧Ｖａ２を生成すると共に、電力増幅部２３が正弦波電圧Ｖａ１を正弦波電圧Ｖ１に増幅して注入コイル１１ｂに印加し、第１信号生成部４が正弦波電圧Ｖ１と同位相の正弦波電圧Ｖａ１に基づいて第１信号Ｓ１を生成し、第２信号生成部５が正弦波電圧Ｖａ２に基づいて第２信号Ｓ２を生成する。
【００６０】
したがって、この測定装置１によれば、位相シフト部２２が、測定装置１の内部に配設されて外部からの影響を受けにくい原信号生成部２１から出力される正弦波電圧Ｖａに基づいて両正弦波電圧Ｖａ１，Ｖａ２を生成することができる。このため、この測定装置１によれば、両正弦波電圧Ｖａ１，Ｖａ２に基づいて生成される第１信号Ｓ１および第２信号Ｓ２の位相差を安定して９０°に維持できる結果、第１切替部３３および第２切替部３４が、交流電流Ｉｏの実数成分Ｉｏｒの振幅に応じて振幅が変化する第１検出信号Ｖｄ１および交流電流Ｉｏの虚数成分Ｉｏｘの振幅に応じて振幅が変化する第２検出信号Ｖｄ２を同期検波によって高い精度で出力することができるため、処理部７が、精度の高い各検出信号Ｖｄ１，Ｖｄ２に基づいて測定対象回路９の純抵抗成分Ｒｒおよびリアクタンス成分Ｒｘを高精度で算出することができる。
【００６１】
また、この測定装置１によれば、第１信号生成部４および第２信号生成部５が第１信号Ｓ１および第２信号Ｓ２を矩形波に整形してそれぞれ出力する構成を採用したことにより、電流検出部６において、電流検出信号Ｖｂ１および反転検出信号Ｖｂ２のいずれか一方を選択的に出力する第１切替部３３および第２切替部３４を用いて、電流検出信号Ｖｂ１に基づき第１検出信号Ｖｄ１および第２検出信号Ｖｄ２を同期検波で検出できるため、例えば、第１切替部３３および第２切替部３４をアナログスイッチを用いて構成することができる結果、電流検出部６の構成を簡略化することができる。
【００６２】
なお、上記の測定装置１では、上記したように、第１信号Ｓ１および第２信号Ｓ２の位相差が安定して９０°に維持されるように、位相シフト部２２が正弦波電圧Ｖａに基づいて互いの位相差が９０°となる２つの正弦波電圧Ｖａ１，Ｖａ２を生成する構成を採用しているが、図４に示す測定装置１Ａのように、入力した信号を基準として位相が９０°相違する信号を生成して出力する位相シフト部２２Ａを備えた構成を採用することもできる。以下、この測定装置１Ａについて説明する。なお、位相シフト部２２に代えて位相シフト部２２Ａを有する点においてのみ測定装置１と相違し、他の構成要素については測定装置１と同一であるため、測定装置１と同一の構成要素については同一の符号を付して重複する説明を省略する。
【００６３】
この測定装置１Ａは、クランプセンサ２、電圧注入部３Ａ、第１信号生成部４、第２信号生成部５、電流検出部６、処理部７および出力部８を備えて構成されている。この場合、電圧注入部３Ａは、測定装置１の電圧注入部３と比較して、原信号生成部２１から電力増幅部２３に対して正弦波電圧Ｖａを直接出力する構成、位相シフト部２２に代えて位相シフト部２２Ａを備え、この位相シフト部２２Ａが電力増幅部２３から注入コイル１１ｂに印加される正弦波電圧Ｖ１を入力すると共にこの正弦波電圧Ｖ１を基準として位相が９０°相違する信号を生成して正弦波電圧Ｖａ２として第２信号生成部５に出力する構成、および第１信号生成部４が正弦波電圧Ｖ１を正弦波電圧Ｖａ１に代えて入力して、第１信号Ｓ１を生成する構成において相違している。
【００６４】
この測定装置１Ａにおいても、測定装置１と同様にして、電流検出部６が、注入クランプ１１の注入コイル１１ｂから出力される電流検出信号Ｖｂ１を、正弦波電圧Ｖ１と同位相の第１信号Ｓ１を用いて同期検波することにより、交流電流Ｉｏの実数成分Ｉｏｒの振幅に応じて振幅が変化する第１検出信号Ｖｄ１を出力すると共に、電流検出信号Ｖｂ１を第１信号Ｓ１と位相が直交する第２信号Ｓ２を用いて同期検波することにより、交流電流Ｉｏの虚数成分Ｉｏｘの振幅に応じて振幅が変化する第２検出信号Ｖｄ２を出力し、処理部７が、この各検出信号Ｖｄ１，Ｖｄ２に基づいて、抵抗値算出処理、位相角算出処理および測定値算出処理を実行することにより、測定対象回路９の純抵抗成分Ｒｒおよびリアクタンス成分Ｒｘを分離して算出することができる。
【００６５】
また、上記の各測定装置１，１Ａでは、電流検出部６に反転部３２を設ける構成を採用して、第１切替部３３および第２切替部３４が、電流検出信号Ｖｂ１と、反転部３２から出力される反転検出信号Ｖｂ２（電流検出信号Ｖｂ１と極性（位相）が反転する信号）とを、各第１信号Ｓ１および第２信号Ｓ２に基づいて切り替えて出力する（つまり全波整流する）ことにより、同期検波の出力である各検波信号Ｖｃ１，Ｖｃ２のレベルを高めることで、同期検波の精度をより高め得る好ましい構成としているが、図５に示す電流検出部６Ａのように、反転部３２を設けずに、第１切替部３３および第２切替部３４に対して、反転検出信号Ｖｂ２に代えて、基準電位（グランド電位）を入力する構成を採用することもできる。
【００６６】
この図５の構成を採用した電流検出部６Ａでは、図５，６に示すように、第１切替部３３が、第１信号Ｓ１の１周期中に電流検出信号Ｖｂ１を半周期分だけ出力する（つまり半波整流する）ことで検波信号Ｖｃ１を生成し、第２切替部３４も同様にして、第２信号Ｓ２の１周期中に電流検出信号Ｖｂ１を半周期分だけ出力する（つまり半波整流する）ことで検波信号Ｖｃ２を生成する。したがって、上記した電流検出部６と比較して、検波信号Ｖｃ１，Ｖｃ２のレベルは半分に低下するものの、検波信号Ｖｃ１は交流電流Ｉｏの実数成分Ｉｏｒの振幅に応じて振幅が変化する信号であり、検波信号Ｖｃ２は交流電流Ｉｏの虚数成分Ｉｏｘの振幅に応じて振幅が変化する信号であるため、処理部７が、各検波信号Ｖｃ１，Ｖｃ２から生成される各検出信号Ｖｄ１，Ｖｄ２に基づいて、抵抗値算出処理、位相角算出処理および測定値算出処理を実行することにより、測定対象回路９の純抵抗成分Ｒｒおよびリアクタンス成分Ｒｘを分離して算出することができる。
【００６７】
また、上記の構成では、同期検波によって各検波信号Ｖｃ１，Ｖｃ２を生成する同期検波回路を第１切替部３３および第２切替部３４を用いて簡易に構成するため、第１信号生成部４および第２信号生成部５が矩形波である第１信号Ｓ１および第２信号Ｓ２を生成して出力する構成を採用しているが、乗算器を用いた同期検波によっても各検波信号Ｖｃ１，Ｖｃ２を生成することができる。この乗算器を用いる構成においては、第１信号生成部４および第２信号生成部５に入力していた各アナログ信号（例えば、位相シフト部２２を採用する測定装置１では正弦波電圧Ｖａ１，Ｖａ２、位相シフト部２２Ａを採用する測定装置１Ａでは正弦波電圧Ｖ１および正弦波電圧Ｖａ２）を、第１切替部３３および第２切替部３４に代えてそれぞれ配設した乗算器に対して直接出力する構成とすることができ、第１信号生成部４および第２信号生成部５の配設を省くことができる。また、測定対象回路９の純抵抗成分Ｒｒおよびリアクタンス成分Ｒｘの双方を測定する構成について上記したが、このうちのいずれか一方のみを測定する構成を採用することもできる。また、測定対象回路９の純抵抗成分Ｒｒおよびリアクタンス成分Ｒｘの双方を測定する構成においては、純抵抗成分Ｒｒおよびリアクタンス成分Ｒｘに基づいて、測定対象回路９のインピーダンスの絶対値｜Ｚ｜を算出して、出力部８に出力することもできる。
【００６８】
また、算出したインピーダンスの絶対値｜Ｚ｜などを出力する構成（具体的には表示する構成）として、出力部８は、一例として図７または図８に示す構成（表示部としての構成）を採用することができる。以下、この構成の出力部８を有する測定装置１Ｂ，１Ｃについて説明する。なお、上記した測定装置１，１Ａの構成と同一の構成については同一の符号を付して重複する説明を省略する。
【００６９】
図７に示す構成を備えた出力部８を有する測定装置１Ｂは、図１において破線で示すように、測定装置１の構成に加えて、操作部４１を備えている。この操作部４１は、例えば、タッチパネルやキーボードやマウスなどを備えて構成されて、出力部８に表示させる表示内容を選択するための選択信号Ｓｓｅを操作内容に応じて生成して、処理部７（具体的には、ＣＰＵ７ｂ）に出力する。処理部７は、この選択信号Ｓｓｅを入力したときには、この選択信号Ｓｓｅで指定される表示内容を出力部８に表示させる。
【００７０】
表示部として構成された出力部８は、一例としてＬＣＤ（Liquid Crystal Display）を用いて構成されて、図７に示すように、数値表示領域５１、第１記号表示領域５２および位相状態表示領域５３を備えている。この場合、数値表示領域５１は、予め規定された桁数（同図では一例として４桁）の数字を、小数点用の記号（ドット）および単位記号（「Ω」）と共に表示可能に構成されている。この数値表示領域５１には、インピーダンスの絶対値｜Ｚ｜、純抵抗成分Ｒｒおよびリアクタンス成分Ｒｘのうちのいずれか１つが選択されて表示される。第１記号表示領域５２には、数値表示領域５１に表示されている表示内容（数値の意味）を示す記号として、インピーダンスの絶対値｜Ｚ｜を示す記号「｜Ｚ｜」、純抵抗成分Ｒｒを示す記号「Ｒ」およびリアクタンス成分Ｒｘを示す記号「ｘ」のうちのいずれか１つが表示される。位相状態表示領域５３には、純抵抗成分Ｒｒに対するリアクタンス成分Ｒｘの位相状態（具体的には、位相角の状態）を示す記号として、コイルの記号およびコンデンサの記号のうちのいずれか一方が選択されて表示される。
【００７１】
この測定装置１Ｂでは、操作部４１に対する操作により、例えば、操作部４１がインピーダンスの絶対値｜Ｚ｜を表示内容として選択する旨の選択信号Ｓｓｅを生成して処理部７に出力し、処理部７がこの選択信号Ｓｓｅを入力したときには、処理部７は、算出したインピーダンスの絶対値｜Ｚ｜を測定値として、単位記号（「Ω」）と共に出力部８の数値表示領域５１に表示させる。また、処理部７は、数値表示領域５１に表示させているインピーダンスの絶対値｜Ｚ｜に対応した記号「｜Ｚ｜」のみを第１記号表示領域５２に表示させる。
【００７２】
また、操作部４１に対する操作により、例えば、操作部４１が純抵抗成分Ｒｒを表示内容として選択する旨の選択信号Ｓｓｅを生成して処理部７に出力し、処理部７がこの選択信号Ｓｓｅを入力したときには、処理部７は、算出した純抵抗成分Ｒｒを測定値として、単位記号（「Ω」）と共に出力部８の数値表示領域５１に表示させる。また、処理部７は、数値表示領域５１に表示させている純抵抗成分Ｒｒに対応した記号「Ｒ」のみを第１記号表示領域５２に表示させる。
【００７３】
また、操作部４１に対する操作により、例えば、操作部４１がリアクタンス成分Ｒｘを表示内容として選択する旨の選択信号Ｓｓｅを生成して処理部７に出力し、処理部７がこの選択信号Ｓｓｅを入力したときには、処理部７は、算出したリアクタンス成分Ｒｘを測定値として、単位記号（「Ω」）と共に出力部８の数値表示領域５１に表示させる。また、処理部７は、数値表示領域５１に表示させているリアクタンス成分Ｒｘに対応した記号「ｘ」のみを第１記号表示領域５２に表示させる。
【００７４】
また、測定対象回路９の抵抗Ｒの純抵抗成分Ｒｒが小さい場合には、測定対象回路９のリアクタンス成分Ｒｘが相対的に大きくなる（支配的になる）結果、純抵抗成分Ｒｒについての測定誤差が大きくなる。このため、この測定装置１Ｂでは、処理部７は、算出した位相角θが予め規定された角度範囲外のときには、リアクタンス成分Ｒｘが支配的であるとして、コイルの記号およびコンデンサの記号のうちのいずれか一方を位相状態表示領域５３に表示させる。本例では、位相角θに対する角度範囲として、一例として、＋４５°以下−４５°以上の範囲が規定されており、処理部７は、位相角θが＋４５°を超えて角度範囲を外れたときには、支配的となっている測定対象回路９のリアクタンス成分Ｒｘが誘導性リアクタンス成分であることを示すコイルの記号を位相状態表示領域５３に表示させる。一方、処理部７は、位相角θが−４５°を下回って角度範囲を外れたときには、支配的となっている測定対象回路９のリアクタンス成分Ｒｘが容量性リアクタンス成分であることを示すコンデンサの記号を位相状態表示領域５３に表示させる。
【００７５】
このように、この測定装置１Ｂによれば、ユーザは操作部４１を操作することにより、インピーダンスの絶対値｜Ｚ｜、純抵抗成分Ｒｒおよびリアクタンス成分Ｒｘのうちから所望の測定値（パラメータ）を選択して出力部８に表示させて、確認することができる。また、この測定装置１Ｂによれば、算出した位相角θが予め規定された角度範囲外となったときに、出力部８に測定対象回路９のリアクタンス成分Ｒｘが相対的に大きくなって（支配的になって）いることを示す記号（コイルの記号またはコンデンサの記号）が表示されるため、ユーザに対して、出力部８に表示されている純抵抗成分Ｒｒについて誤差が大きくなっていること、つまり確度が低下していることを報知することができる。なお、位相角θが角度範囲外であるか否かを判断する手法として、位相角θの絶対値と角度範囲とを比較する手法を採用することもできる。この場合、上記の例では角度範囲は＋４５°以下０°以上として規定する。
【００７６】
次に、図８に示す構成を備えた出力部８を有する測定装置１Ｃについて説明する。なお、上記した測定装置１Ｂと同一の構成については同一の符号を付して重複する説明を省略する。
【００７７】
表示部として構成された出力部８は、一例としてＬＣＤ（Liquid Crystal Display）を用いて構成されて、図８に示すように、主数値表示領域としての数値表示領域５１、第１記号表示領域５２、位相状態表示領域５３、副数値表示領域５４、単位表示領域５５および第２記号表示領域５６を備えている。この場合、数値表示領域５１は、その表示面積が副数値表示領域５４の表示面積よりも大きくなるように構成されて、より大きな数字を表示し得るように構成されている。また、測定装置１Ｂと同様にして、数値表示領域５１には、インピーダンスの絶対値｜Ｚ｜、純抵抗成分Ｒｒおよびリアクタンス成分Ｒｘのうちのいずれか１つが選択されて表示され、第１記号表示領域５２には、インピーダンスの絶対値｜Ｚ｜を示す記号「｜Ｚ｜」、純抵抗成分Ｒｒを示す記号「Ｒ」およびリアクタンス成分Ｒｘを示す記号「ｘ」のうちのいずれか１つが表示され、位相状態表示領域５３には、コイルの記号およびコンデンサの記号のうちのいずれか一方が選択されて表示される。
【００７８】
一方、副数値表示領域５４は、予め規定された桁数（同図では一例として４桁）の数字を、小数点用の記号（ドット）と共に表示可能に構成されている。この副数値表示領域５４には、インピーダンスの絶対値｜Ｚ｜、純抵抗成分Ｒｒ、リアクタンス成分Ｒｘ、インダクタンスＬ、キャパシタンスＣおよび位相角θのうちのいずれか１つが選択されて表示される。単位表示領域５５には、インピーダンスの絶対値｜Ｚ｜、純抵抗成分Ｒｒおよびリアクタンス成分Ｒｘの単位を示す記号「Ω」と、インダクタンスＬの単位を示す記号「ｍＨ」と、キャパシタンスＣの端子を示す記号「μＦ」と、位相角θの単位を示す記号「°」のうちのいずれか１つが表示される。第２記号表示領域５６には第１記号表示領域５２と同様にして、インピーダンスの絶対値｜Ｚ｜を示す記号「｜Ｚ｜」、純抵抗成分Ｒｒを示す記号「Ｒ」およびリアクタンス成分Ｒｘを示す記号「ｘ」のうちのいずれか１つが表示される。
【００７９】
この測定装置１Ｃでは、操作部４１に対する操作により、操作部４１が処理部７に対して、数値表示領域５１の表示内容を選択すると共に、副数値表示領域５４の表示内容を選択する旨の選択信号Ｓｓｅを生成して出力する。本例では一例として、操作部４１は、操作部４１に対する操作により、図９に示す組み合わせのうちの任意の１組（２つのパラメータ）を数値表示領域５１および副数値表示領域５４にそれぞれ表示させる旨の選択信号Ｓｓｅを生成して出力する。なお、同図では、記号Ｚはインピーダンスの絶対値｜Ｚ｜を示し、記号Ｒは純抵抗成分Ｒｒを示し、記号ｘはリアクタンス成分Ｒｘを示し、記号ＬはインダクタンスＬを示し、記号ＣはキャパシタンスＣを示し、記号θは位相角θを示しているものとする。
【００８０】
処理部７は、選択信号Ｓｓｅを操作部４１から入力したときには、この選択信号Ｓｓｅで示される数値表示領域５１の表示内容に応じて、上記した測定装置１Ｂと同様にして、インピーダンスの絶対値｜Ｚ｜、純抵抗成分Ｒｒおよびリアクタンス成分Ｒｘのうちのいずれか１つを数値表示領域５１に表示させると共に、その表示内容に対応した記号（記号｜Ｚ｜，Ｒ，ｘのうちのいずれか）を第１記号表示領域５２に表示させる。また、処理部７は、位相角θの値と予め規定された角度範囲との関係に応じて、位相状態表示領域５３へのコイルおよびコンデンサの各記号の表示の有無を判別すると共に、表示させる場合にはその記号の種類を決定して、その記号を位相状態表示領域５３に表示させる。
【００８１】
また、処理部７は、選択信号Ｓｓｅで示される副数値表示領域５４の表示内容に応じて、インピーダンスの絶対値｜Ｚ｜、純抵抗成分Ｒｒ、リアクタンス成分Ｒｘ、インダクタンスＬ、キャパシタンスＣおよび位相角θのうちのいずれか１つを表示させる表示状態か、または数値を何ら表示させない非表示状態のいずれかの状態に副数値表示領域５４を移行させる。
【００８２】
具体的には、処理部７は、選択信号Ｓｓｅで示される副数値表示領域５４の表示内容がインピーダンスの絶対値｜Ｚ｜であるときには、算出したインピーダンスの絶対値｜Ｚ｜を副数値表示領域５４に表示させる。また、処理部７は、インピーダンスの絶対値｜Ｚ｜を示す記号「｜Ｚ｜」を第２記号表示領域５６に表示させると共に、インピーダンスの絶対値｜Ｚ｜の単位を示す記号「Ω」を単位表示領域５５に表示させる。
【００８３】
また、処理部７は、選択信号Ｓｓｅで示される副数値表示領域５４の表示内容が純抵抗成分Ｒｒであるときには、算出した純抵抗成分Ｒｒを副数値表示領域５４に表示させる。また、処理部７は、純抵抗成分Ｒｒを示す記号「Ｒ」を第２記号表示領域５６に表示させると共に、純抵抗成分Ｒｒの単位を示す記号「Ω」を単位表示領域５５に表示させる。また、処理部７は、選択信号Ｓｓｅで示される副数値表示領域５４の表示内容がリアクタンス成分Ｒｘであるときには、算出したリアクタンス成分Ｒｘを副数値表示領域５４に表示させる。また、処理部７は、リアクタンス成分Ｒｘを示す記号「ｘ」を第２記号表示領域５６に表示させると共に、リアクタンス成分Ｒｘの単位を示す記号「Ω」を単位表示領域５５に表示させる。
【００８４】
また、処理部７は、選択信号Ｓｓｅで示される副数値表示領域５４の表示内容がインダクタンスＬまたはキャパシタンスＣであるときには、算出した位相角θの極性に基づいて、リアクタンス成分Ｒｘで表されるものが、誘導性リアクタンス成分であるか容量性リアクタンス成分であるかを判別して、誘導性リアクタンス成分である場合には、リアクタンス成分Ｒｘおよび正弦波電圧Ｖａの周波数ｆに基づいて、インダクタンスＬを算出する。一方、容量性リアクタンス成分である場合には、リアクタンス成分Ｒｘおよび正弦波電圧Ｖａの周波数ｆに基づいて、キャパシタンスＣを算出する。次いで、処理部７は、算出したインダクタンスＬまたはキャパシタンスＣを副数値表示領域５４に表示させる。また、処理部は、副数値表示領域５４の表示内容に対応する単位を示す記号（記号「ｍＨ」または記号「μＦ」）を単位表示領域５５に表示させる。この場合、処理部７は、第２記号表示領域５６をいずれの記号も表示されない状態に移行させる。
【００８５】
このように、この測定装置１Ｃによれば、インピーダンスの絶対値｜Ｚ｜、純抵抗成分Ｒｒおよびリアクタンス成分Ｒｘのうちから所望の測定値を選択して出力部８の数値表示領域５１に表示させて、確認することができるという測定装置１Ｂの効果に加えて、数値表示領域５１に表示されているバラメータ以外の任意の１つのパラメータ（純抵抗成分Ｒｒ、リアクタンス成分Ｒｘ、およびインピーダンスの絶対値｜Ｚ｜のうちの主数値表示領域５１に表示されているもの以外のもの、インダクタンスＬ、キャパシタンスＣおよび位相角θのうちの任意の１つのパラメータ）についても、副数値表示領域５４に表示させて確認することができる。つまり、この測定装置１Ｃによれば、インピーダンスの絶対値｜Ｚ｜、純抵抗成分Ｒｒおよびリアクタンス成分Ｒｘのうちから所望の２つのパラメータを選択して、さらにはインピーダンスの絶対値｜Ｚ｜、純抵抗成分Ｒｒ、リアクタンス成分Ｒｘ、インダクタンスＬ、キャパシタンスＣおよび位相角θのうちから所望の２つのパラメータを選択して出力部８に表示させて、同時に確認することができる。
【００８６】
なお、この測定装置１Ｃでは、インダクタンスＬやキャパシタンスＣなどの、インピーダンスの絶対値｜Ｚ｜、純抵抗成分Ｒｒおよびリアクタンス成分Ｒｘ以外のパラメータについて算出して、副数値表示領域５４に選択的に表示させる構成を採用しているが、インピーダンスの絶対値｜Ｚ｜、純抵抗成分Ｒｒおよびリアクタンス成分Ｒｘだけを算出する構成においても、数値表示領域５１および副数値表示領域５４を有する構成を採用して、インピーダンスの絶対値｜Ｚ｜、純抵抗成分Ｒｒおよびリアクタンス成分Ｒｘのうちの数値表示領域５１に表示されているパラメータ以外のパラメータを副数値表示領域５４に選択的に表示させる構成を採用することもできる。また、測定装置１Ｃの出力部８では、１つのＬＣＤ内に数値表示領域５１および副数値表示領域５４を配設する構成を採用しているが、数値表示領域５１および副数値表示領域５４を個別のＬＣＤや７セグメント表示器で構成することもできる。
【００８７】
また、上記した各測定装置１Ｂ，１Ｃでは、出力部８が位相状態表示領域５３を有して、この位相状態表示領域５３にコイルの記号およびコンデンサの記号のうちのいずれかを表示させる構成を採用しているが、この位相状態表示領域５３を有しない構成を採用することもできる。
【００８８】
また、上記した各測定装置１Ｂ，１Ｃは、図１に示す測定装置１をベースとして構成しているが、図４に示す測定装置１Ａをベースとして、上記した操作部４１を破線で示すように配設すると共に、処理部７および出力部８を各測定装置１Ｂ，１Ｃと同様の構成としてもよいのは勿論である。
【００８９】
また、図８に示す出力部８の単位表示領域５５（インピーダンスの絶対値｜Ｚ｜、純抵抗成分Ｒｒおよびリアクタンス成分Ｒｘの単位を示す記号「Ω」と、インダクタンスＬの単位を示す記号「ｍＨ」と、キャパシタンスＣの端子を示す記号「μＦ」と、位相角θの単位を示す記号「°」のうちのいずれか１つが表示される表示領域）を、図７に示す出力部８の数値表示領域５１に対して配設することによって図１０に示す構成の出力部８として、インピーダンスの絶対値｜Ｚ｜、純抵抗成分Ｒｒ、リアクタンス成分Ｒｘ、インダクタンスＬ、キャパシタンスＣ、および位相角θのうちのいずれか１つを数値表示領域５１に表示させると共に、それに対応した単位を示す記号を単位表示領域５５に表示させるように構成することもできる。
【００９０】
また、図８に示す出力部８の単位表示領域５５（インピーダンスの絶対値｜Ｚ｜、純抵抗成分Ｒｒおよびリアクタンス成分Ｒｘの単位を示す記号「Ω」と、インダクタンスＬの単位を示す記号「ｍＨ」と、キャパシタンスＣの端子を示す記号「μＦ」と、位相角θの単位を示す記号「°」のうちのいずれか１つが表示される表示領域）を、図８の数値表示領域５１に対しても配設することによって図１１に示す構成の出力部８として、図９に示す組み合わせに図１２に示す組み合わせを加えて、こららの組み合わせのうちの任意の１組（２つのパラメータ）を数値表示領域５１および副数値表示領域５４にそれぞれ、対応する単位を示す記号をそれぞれの単位表示領域５５に表示させつつ表示させるように構成することもできる。
【００９１】
また、上記した各測定装置１，１Ａ，１Ｂ，１Ｃでは、正弦波電圧Ｖａ１の基本波と同一周期で、かつ正弦波電圧Ｖａ１の基本波に同期した第１信号Ｓ１、および第１信号Ｓ１に対して位相が９０°シフトしている第２信号Ｓ２を生成する構成として、第１信号生成部４、第２信号生成部５および位相シフト部２２（２２Ａ）を使用した構成を採用して、位相シフト部２２（２２Ａ）が、原信号生成部２１で生成した交流電圧（擬似正弦波電圧）Ｖａを互いの位相が９０°シフトしている２種類の正弦波電圧Ｖａ１，Ｖａ２（正弦波電圧Ｖ１，Ｖａ２）を生成し、第１信号生成部４が、一方の正弦波電圧Ｖａ１（正弦波電圧Ｖ１）に基づいて基準クロックＣＬＫに同期した第１信号Ｓ１を生成し、第２信号生成部５が、他方の正弦波電圧Ｖａ２に基づいて基準クロックＣＬＫに同期した第２信号Ｓ２を生成する構成としているが、原信号生成部２１、第１信号生成部４、第２信号生成部５および位相シフト部２２（２２Ａ）を、ＣＰＵを使用したデジタル回路や、ＦＰＧＡ（Field Programmable Gate Array ）や、ＣＰＬＤ（Complex Programmable Logic Device ）を使用して、三角波信号Ｖｔを交流電圧（擬似正弦波電圧）Ｖａに変換して出力するフィルタを除く他の構成要素を１つのデジタル回路としてまとめて、交流電圧Ｖａ、第１信号Ｓ１および第２信号Ｓ２を生成する統括信号生成部とする構成を採用することもできる。
【００９２】
一例として、図１３，１４，１５を参照して、ＣＰＵを使用したデジタル回路を使用して統括信号生成部６１を構成する例について説明する。
【００９３】
まず、統括信号生成部６１の構成について説明する。統括信号生成部６１は、図１３に示すように、信号生成回路６２とＢＰＦ６３で構成されている。信号生成回路６２は、ＣＰＵ６２ａ、メモリ６２ｂおよびＤ／Ａ変換回路６２ｃを備えている。この場合、メモリ６２ｂには、ＣＰＵ６２ａの動作プログラムと共に、図１４に示す信号生成用のデータテーブルＤｓｔが予め記憶されている。データテーブルＤｓｔには、三角波信号Ｖｔを生成するためのデジタルデータ（本例では一例として、２ビットのデジタルデータ）ＤＡ１，ＤＡ０、第１信号Ｓ１を生成するためのデジタルデータＣＬＫ０、および第２信号Ｓ２を生成するためのデジタルデータＣＬＫ９０が１ビットずつ組になって、アドレス１からアドレス１２までに１２組記憶されている。
【００９４】
次いで、統括信号生成部６１の動作について説明する。統括信号生成部６１では、ＣＰＵ６２ａが、動作プログラムに従って動作して、メモリ６２ｂに記憶されているデータテーブルＤｓｔから、アドレス１からアドレス１２に記憶されている各デジタルデータＤＡ１，ＤＡ０，ＣＬＫ０，ＣＬＫ９０を、図１５に示すように、アドレス１，２，３，・・・，１１，１２の順序で順次周期Ｔｃで読み出す動作を、周期Ｔで繰り返し実行する。また、ＣＰＵ６２ａは、読み出した各アドレスのデジタルデータのうちのデジタルデータＤＡ１，ＤＡ０についてはデジタルデータＤＡ１を上位ビットとして、またデジタルデータＤＡ０を下位ビットとしてＤ／Ａ変換回路６２ｃに出力し、デジタルデータＣＬＫ０については、自らの出力ポートのうちの１つに出力し、デジタルデータＣＬＫ９０については、自らの出力ポートのうちの他の１つに出力する。また、Ｄ／Ａ変換回路６２ｃは、ＣＰＵ６２ａから出力されたデジタルデータＤＡ１，ＤＡ０をアナログ信号Ｖｔに順次変換して出力する。また、ＢＰＦ６３は、この三角波信号Ｖｔを入力してその基本周波数成分（周波数ｆ）を主として通過させ、それ以外の周波数成分を減衰させることにより（基本周波数成分を選択的に通過させることにより）、交流電圧（擬似正弦波電圧）Ｖａに変換して出力する。
【００９５】
これにより、Ｄ／Ａ変換回路６２ｃは、図１５に示すように、デジタルデータＤＡ１，ＤＡ０に応じて値が周期Ｔｃで変化するアナログ信号を三角波信号Ｖｔとして生成して出力し、ＣＰＵ６２ａは、各出力ポートから、図１５に示すように第１信号Ｓ１および第２信号Ｓ２を出力する。この場合、データテーブルＤｓｔに記憶されているデジタルデータＣＬＫ０は、デジタルデータＤＡ１，ＤＡ０で示される数値が「２」，「２」と連続する期間における最初の「２」から次の「２」に移行するタイミングに同期して、「０」から「１」に変化したり、逆に「１」から「０」に変化する。このため、デジタルデータＣＬＫ０に基づいて生成される第１信号Ｓ１は、ＢＰＦ６３から出力される交流電圧Ｖａのゼロクロス点に同期して振幅が変化する信号、つまり、交流電圧Ｖａと位相が一致している信号となる。すなわち、ＣＰＵ６２ａは、Ｄ／Ａ変換回路６２ｃおよびＢＰＦ６３と共に原信号生成部として機能し、またＣＰＵ６２ａは、第１信号生成部として機能する。
【００９６】
一方、データテーブルＤｓｔに記憶されているデジタルデータＣＬＫ９０は、デジタルデータＤＡ１，ＤＡ０で示される数値が「３」，「３」，「３」，「３」と連続する期間における２番目の「３」から３番目の「３」に移行するタイミングに同期して「０」から「１」に変化し、デジタルデータＤＡ１，ＤＡ０で示される数値が「１」，「１」，「１」，「１」と連続する期間における２番目の「１」から３番目の「１」に移行するタイミングに同期して「１」から「０」に変化する。このため、デジタルデータＣＬＫ９０に基づいて生成される第２信号Ｓ２は、ＢＰＦ６３から出力される交流電圧Ｖａに対して、位相が９０°シフトした信号となる。すなわち、ＣＰＵ６２ａは、第２信号生成部としても機能する。
【００９７】
この統括信号生成部６１のようなデジタル回路を使用し、デジタルデータＤＡ１，ＤＡ０，ＣＬＫ０，ＣＬＫ９０に基づいて、三角波信号Ｖｔ、第１信号Ｓ１および第２信号Ｓ２を生成する構成を採用することにより、三角波信号Ｖｔ、およびこの三角波信号Ｖｔから生成される交流電圧Ｖａに対して、位相差がゼロの(位相が一致した)第１信号Ｓ１と、位相が９０°シフトした第２信号Ｓ２とを、安定して、しかも容易に生成することができる。また、位相シフト部２２（２２Ａ）を省略することができるため、位相シフト部２２（２２Ａ）に対する位相調整作業を省くことができる結果、作業工程を簡略化することができる。
【００９８】
なお、一例として、三角波信号Ｖｔを２ビットのデジタルデータＤＡ１，ＤＡ０から生成する構成について上記したが、ビット数をより増加させて、波形が正弦波により近い信号として三角波信号Ｖｔを生成する構成を採用してもよいのは勿論である。また、処理部７を構成するＣＰＵ７ｂがＣＰＵ６２ａを兼用して、処理部７を構成するメモリがメモリ６２ｂを兼用する構成を採用することもできる。
【符号の説明】
【００９９】
１  測定装置
３  電圧注入部
４  第１信号生成部
５  第２信号生成部
６  電流検出部
７  処理部
８  出力部（表示部）
９  測定対象回路
１１ｂ  注入コイル
１２ｂ  検出コイル
３３  第１切替部
３４  第２切替部
４１  操作部
Ｉｏ  交流電流
Ｒｒ  純抵抗成分
Ｒｘ  リアクタンス成分
Ｖ１  正弦波電圧
Ｖｂ１  電流検出信号
Ｖｂ２  反転検出信号
Ｖｄ１  第１検出信号
Ｖｄ２  第２検出信号
Ｖｏ  検査用交流信号
【図１】
0005626869.tif 000002
【図２】
0005626869.tif 000003
【図３】
0005626869.tif 000004
【図４】
0005626869.tif 000005
【図５】
0005626869.tif 000006
【図６】
0005626869.tif 000007
【図７】
0005626869.tif 000008
【図８】
0005626869.tif 000009
【図９】
0005626869.tif 000010
【図１０】
0005626869.tif 000011
【図１１】
0005626869.tif 000012
【図１２】
0005626869.tif 000013
【図１３】
0005626869.tif 000014
【図１４】
0005626869.tif 000015
【図１５】
0005626869.tif 000016